(57)【特許請求の範囲】
【請求項１】
シャーシと、
前記シャーシ上に設けられるガイドシャフトに、摺動可能に支持される光ピックアップと、
前記シャーシに取り付けられる第１のモータと、
前記第１のモータの出力軸に取り付けられるとともに前記ガイドシャフトと略平行となるように配置されるリードスクリュと、
前記光ピックアップに取り付けられ、前記光ピックアップが前記ガイドシャフトに沿って移動可能となるように前記リードスクリュに係合する係合部と、
を備える光ディスク装置において、
前記ガイドシャフトの一端寄りとなる箇所には、前記光ピックップの移動限界位置を決めるものであって、前記シャーシに搭載される前記光ピックアップの種類毎に使い分けられる２つのストッパ部が設けられることを特徴とする光ディスク装置。
【請求項２】
前記係合部は、前記シャーシにいずれの種類の前記光ピックアップが搭載される場合にも同一のものが使用されることを特徴とする請求項１に記載の光ディスク装置。
【請求項３】
前記２つのストッパ部は、前記光ピックアップに当接することによって前記移動限界位置を決める第１のストッパ部と、前記係合部に当接することによって前記移動限界位置を決める第２のストッパ部とからなることを特徴とする請求項１又は２に記載の光ディスク装置。
【請求項４】
前記シャーシには、前記ガイドシャフトの一端の反対側となる他端寄りに、光ディスクを回転可能とする第２のモータが取り付けられることを特徴とする請求項１から３のいずれかに記載の光ディスク装置。
【請求項５】
前記ガイドシャフトの他端寄りとなる箇所には、前記光ピックアップの種類によらず、前記光ピックアップの移動限界位置を決める１つのストッパ部が設けられることを特徴とする請求項１から４のいずれかに記載の光ディスク装置。
【発明の詳細な説明】
【技術分野】
【０００１】
本発明は、光ピックアップを備えて、光ディスクに記録される情報の再生や、光ディスクへの情報の記録を行うために使用される光ディスク装置に関する。
【背景技術】
【０００２】
従来、ブルーレイディスク（以下ＢＤと記載）、デジタル多用途ディスク（以下ＤＶＤと記載）、コンパクトディスク（以下ＣＤと記載）等の光ディスクに記録される情報を再生したり、これらの光ディスクに情報を記録したりするために光ディスク装置が使用される。
【０００３】
図８は、従来の光ディスク装置１００の構成を説明するための模式図である。従来の光ディスク装置１００は、筐体１０と、筐体１０外へと引き出し可能（破線矢印の方向に引き出し可能である）に筐体１０内に収容されて、光ディスクが載置されるディスクトレイ２０と、筐体１０内に収容されたディスクトレイ２０の下部側に配置され、ディスクトレイ２０の出し入れに応じて回動するトラバースシャーシ３０と、を備えている。
【０００４】
ディスクトレイ２０には、光ディスクを載置できるように図示しないディスク載置部が設けられている。また、ディスクトレイ２０の底面の一部には図示しない切り欠きが形成されている。この切り欠きにより、トラバースシャーシ３０上のスピンドルモータ３１に取り付けられるターンテーブル（図示せず）を配置する空間が確保される。また、この切り欠きにより、トラバースシャーシ３０上の光ピックアップ３３から出射されるレーザ光を、光ディスクの情報記録面に照射することが可能になっている。
【０００５】
図９は、従来の光ディスク装置１００が備えるトラバースシャーシ３０の構成を示す概略平面図である。トラバースシャーシ３０には、光ディスクの情報を再生したり、光ディスクに情報を記録したりする際に必要となる各種の部材が取り付けられている。
【０００６】
トラバースシャーシ３０の前側（ディスクトレイ２０が引き出される側を前としている）には、光ディスクを保持するためのターンテーブル３２が取り付けられたスピンドルモータ３１（図８も参照）が固定される。また、トラバースシャーシ３０上には、光ディスクの半径方向（ディスクトレイ２０の出し入れ方向に平行な方向である）に平行となるように２本のガイドシャフト３４ａ、３４ｂが配置されている。光ディスクの情報記録面を光学的に走査する光ピックアップ３３は、この２本のガイドシャフト３４ａ、３４ｂに沿って摺動可能に取り付けられている。
【０００７】
光ピックアップ３３は、レーザ光を出射する光源（図示せず）と、光源から出射されたレーザ光を情報記録面に集光する対物レンズ３３１、３３２と、情報記録面で反射された戻り光を受光して光信号を電気信号に変換する受光部（図示せず）と、を備える。なお、光ディスク装置１００は、ＢＤ、ＤＶＤ及びＣＤを互換する構成であり、光ピックアップ３３には、ＢＤ用の対物レンズ３３１を含むＢＤ用の光学系と、ＤＶＤ及びＣＤ用の対物レンズ３３２を含むＤＶＤ及びＣＤ用の光学系とが設けられている。
【０００８】
トラバースシャーシ３０にはステッピングモータ３５が固定配置されており、このステッピングモータ３５の出力軸にはリードスクリュ３６が取り付けられている。リードスクリュ３６の長手方向（図９の上下方向）は、光ディスクの半径方向に平行となっている。リードスクリュ３６には、光ピックアップ３３に取り付けられたティース３７が係合している。
【０００９】
ティース３７には、付勢バネ３７ａと、この付勢バネ３７ａによってリードスクリュ３６の長手方向に対して略直交する方向に付勢されるギア歯３７ｂとが設けられている。このギア歯３７ｂは、リードスクリュ３６に設けられる螺旋状の溝３６ａに押圧された状態で噛合する。これにより、ティース３７は、ステッピングモータ３５によるリードスクリュ３６の回転を、リードスクリュ３６の長手方向（光ディスクの半径方向）に平行な直線運動に変換して光ピックアップ３３に伝達する。
【００１０】
図１０は、従来の光ディスク装置１００の動作を説明するための図で、図１０（ａ）はディスクトレイ２０が筐体１０から引き出された状態を示し、図１０（ｂ）は光ディスク４０が搭載されたディスクトレイ２０が筐体１０に収容された状態を示している。
【００１１】
図１０（ａ）に示すように、光ディスク４０を載置するためにディスクトレイ２０が引き出されると、トラバースシャーシ３０は後端部Ｂを中心に回転し、その前端部Ｆが下方に移動する。この回転動作は、トラバースシャーシ３０に取り付けられる図示しない回転機構によって可能となっており、この回転機構はディスクトレイ２０の出し入れを行う出し入れ機構と連動して動作するようになっている。
【００１２】
ディスクトレイ２０に光ディスク４０が載置されて、ディスクトレイ２０が筐体１０内に収容されると、ディスクトレイ２０を引き出した場合と逆方向にトラバースシャーシ３０は回転する。これにより、トラバースシャーシ３０の前端部Ｆは下方に下がった状態から上昇し、ディスクトレイ２０を引き出す前の元の状態に戻る（図１０（ｂ）の状態）。トラバースシャーシ３０が上昇する際、ターンテーブル３２は、光ディスク４０の中心部下面と接触するとともに、その状態から更に上昇することでターンテーブル３２の上方に設けられるクランパ（図示せず）と協働して光ディスク４０を保持する。これにより、スピンドルモータ３１により光ディスク４０の回転が可能になる。
【００１３】
なお、光ディスク４０を取り出すためにディスクトレイ２０が引き出される際には、ターンテーブル３２がディスクトレイ２０より下に下がることによって、ターンテーブル３２に保持された光ディスク４０がディスクトレイ２０に受け渡される。そして、この受け渡しが完了した状態でディスクトレイ２０が筐体１０から引き出されることで、光ディスク４０の取り出しが可能になる。
【先行技術文献】
【特許文献】
【００１４】
【特許文献１】特開２００３−２２３７６８号公報
【発明の概要】
【発明が解決しようとする課題】
【００１５】
ところで、以上のように構成される光ディスク装置１００においては、特許文献１に開示されるのと同様に、光ピックアップ３３の光ディスク４０外周側における移動限界位置を決めるストッパ部を設けるのが好ましい。このストッパ部は、例えばガイドシャフト３４ａを支持する支持部３８（図８や図１０参照）であってもよいし、その他専用に設けられるものであってよい。
【００１６】
図９に示すように、光ピックアップ３３からは、光ピックアップ３３外部の基板との電気的な接続を確保するために、外周方向（光ディスク４０を基準とした表現である）に向けてフレキシブルフラットケーブル（ＦＦＣ）３９が延び出している。図１１は、光ピックアップ３３から延び出すＦＦＣ３９について説明するための模式図である。図１１に示すように、光ピックアップ３３から延び出したＦＦＣ３９は湾曲した状態で折り返されて、その一部がトラバースシャーシ３０の下側に配置される。
【００１７】
この構成では、光ピックアップ３３が光ディスク４０の外周方向に移動しすぎた場合に、ＦＦＣ３９がトラバースシャーシ３０に干渉し、ＦＦＣ３９の耐久性が低下したり、最悪の場合にはＦＦＣ３９に断線が生じたりする等の問題が発生する。このような事態を避けるために、上述したストッパ部を設けて、光ピックアップ３３が光ディスク４０の外周方向に移動しすぎるのを規制するのが好ましい。
【００１８】
しかしながら、本出願人は、できる限り部品の共通化を図りつつ、種類が異なる複数の光ピックアップを載せ換え可能な光ディスク装置について検討を行っている。このような場合に、光ピックアップのサイズの違いや、情報の読み取りや書き込みを行うために必要とされる光ピックアップの移動量（以下、単に必要移動量と表現する場合がある）の違いから、単純に上述したストッパ部を採用しただけでは、光ピックアップの性能に問題が発生するという課題に直面した。詳細には、載せ換えを行う光ピックアップの中に、ＦＦＣがトラバースシャーシに干渉し易く、その結果、ＦＦＣの耐久性低下や断線が起こって性能が確保できないものが発生するといった問題に直面した。
【００１９】
以上の点に鑑みて、本発明の目的は、複数の光ピックアップを載せ換え可能であって低コスト化を図れる光ディスク装置を提供することである。
【課題を解決するための手段】
【００２０】
上記目的を達成するために本発明は、シャーシと、前記シャーシ上に設けられるガイドシャフトに、摺動可能に支持される光ピックアップと、前記シャーシに取り付けられる第１のモータと、前記第１のモータの出力軸に取り付けられるとともに前記ガイドシャフトと略平行となるように配置されるリードスクリュと、前記光ピックアップに取り付けられ、前記光ピックアップが前記ガイドシャフトに沿って移動可能となるように前記リードスクリュに係合する係合部と、を備える光ディスク装置において、前記ガイドシャフトの一端寄りとなる箇所には、前記光ピックップの移動限界位置を決めるものであって、前記シャーシに搭載される前記光ピックアップの種類毎に使い分けられる２つのストッパ部が設けられる構成（第１の構成）とされる。
【００２１】
ここで、前記ガイドシャフトの一端寄りとなる箇所に設けられる前記２つのストッパ部は、いずれもシャーシに設けられる構成であってもよい。また、場合によっては、前記ガイドシャフトの一端寄りとなる箇所に設けられる前記２つのストッパ部は、いずれか一方、或いは、両方が前記ガイドシャフトに設けられる構成であってもよい。そして、前述のいずれか一方の場合は、他方は前記シャーシに設けられてよい。
【００２２】
本構成は、光ピックアップの移動限界位置を決めるストッパ部が同一側に２つ設けられる構成となっている。このために、サイズ及び必要移動量が異なる関係にある複数種類（例えば２種類）の光ピックアップについて、例えば光ピックアップに特別な形状を追加したり、光ピックアップに取り付けられる係合部を複数種類準備したりすることなく、適切にシャーシに載せ換え可能となる。
【００２３】
そして、上記第１の構成の光ディスク装置においては、前記係合部は、前記シャーシにいずれの種類の前記光ピックアップが搭載される場合にも同一のものが使用される構成（第２の構成）であるのが好ましい。本構成は、低コスト化により望ましい構成である。
【００２４】
上記第１又は第２の構成の光ディスク装置において、前記２つのストッパ部は、前記光ピックアップに当接することによって前記移動限界位置を決める第１のストッパ部と、前記係合部に当接することによって前記移動限界位置を決める第２のストッパ部とからなる構成（第３の構成）とするのが好ましい。本構成によれば、例えばシャーシの形状を一部変更するだけで、サイズ及び必要移動量が異なる関係にある複数種類の光ピックアップについて、適切にシャーシに載せ換え可能になる。すなわち、本構成によれば、複数種類の光ピックアップを載せ換え可能な光ディスク装置を低コストで提供可能となる。
【００２５】
上記第１から第３のいずれかの構成の光ディスク装置において、前記シャーシには、前記ガイドシャフトの一端の反対側となる他端寄りに、光ディスクを回転可能とする第２のモータが取り付けられる構成（第４の構成）とするのが好ましい。本構成では、光ディスクの外周側に、第１及び第２のストッパ部が配置されることになる。このために、本構成によれば、いずれの種類の光ピックアップについても、必要移動量を確保しつつ、光ピックアップから外周方向に延び出すＦＦＣがシャーシに干渉し難くなる構成を得ることが可能になる。
【００２６】
上記第１から第４のいずれかの構成の光ディスク装置において、前記ガイドシャフトの他端寄りとなる箇所には、前記光ピックアップの種類によらず、前記光ピックアップの移動限界位置を決める１つのストッパ部が設けられる構成（第５の構成）が採用されてもよい。この構成において、前記ガイドシャフトの他端寄りとなる箇所に設けられる前記１つのストッパ部は、前記シャーシに設けられる構成であってもよい。また、場合によっては、前記１つのストッパ部は、前記ガイドシャフトに設けられる構成であってもよい。
【００２７】
なお、第５の構成とは異なる構成として、前記ガイドシャフトの他端寄りとなる部分にも、前記シャーシに搭載される前記光ピックアップの種類毎に使い分けられる２つのストッパ部が設けられる構成が採用されてもよい。
【発明の効果】
【００２８】
本発明によれば、複数種類の光ピックアップを載せ換え可能であって低コスト化を図れる光ディスク装置を提供可能である。
【図面の簡単な説明】
【００２９】
【図１】本実施形態の光ディスク装置の構成を説明するための模式図
【図２】本実施形態の光ディスク装置において載せ換え可能な２種類の光ピックアップの構成を説明するための図
【図３】本実施形態の光ディスク装置に載せ換え可能な２種類の光ピックアップにおける必要移動量について説明するための模式図
【図４】本実施形態の光ディスク装置に載せ換え可能な２種類の光ピックアップにおける移動限界位置について説明するための模式図
【図５】本実施形態の光ディスク装置が備えるトラバースシャーシの構成を示す概略斜視図
【図６】本実施形態の光ディスク装置が備えるトラバースシャーシと光ピックアップとの関係を示す概略斜視図
【図７】本実施形態の光ディスク装置において、光ピックアップが外周側の移動限界位置に到達した状態を示す拡大図
【図８】従来の光ディスク装置の構成を説明するための模式図
【図９】従来の光ディスク装置が備えるトラバースシャーシの構成を示す概略平面図
【図１０】従来の光ディスク装置の動作を説明するための図
【図１１】光ピックアップから延び出すＦＦＣについて説明するための模式図
【発明を実施するための形態】
【００３０】
以下、本発明の光ディスク装置の実施形態について、図面を参照しながら詳細に説明する。図１は、本実施形態の光ディスク装置１の構成を説明するための模式図である。図１に示すように、光ディスク装置１は、大きくは、筐体１０、ディスクトレイ２０、及び、トラバースシャーシ３０を備える構成となっている。なお、図１においては、ディスクトレイ２０に光ディスク４０が搭載された状態が示されている。また、図１においては、ディスクトレイ２０の外部への引き出し方向は右方向（破線矢印方向）となっている。
【００３１】
筐体１０、ディスクトレイ２０、及び、トラバースシャーシ３０の構成や機能については、装置サイズの小型化等に伴う構成変更はあるが、上述した従来の光ディスク装置１００（図８から図１１参照）と概ね同様である。このために、これら重複する部分については同一の符号を付し、特に説明の必要がない場合には、その説明を省略する。以下、本実施形態の光ディスク装置１に特徴的な点に絞って説明する。
【００３２】
本実施形態の光ディスク装置１は、トラバースシャーシ３０上を摺動可能に設けられる光ピックアップ３３について、２種類の光ピックアップを載せ換え可能となっている。ここで、載せ換え可能とは、光ディスク装置１の組み立て時において、２種類の光ピックアップのうち、いずれか一方を選択して取り付けることができるという意味である。
【００３３】
図２は、本実施形態の光ディスク装置１において載せ換え可能な２種類の光ピックアップＯＰＵ１、ＯＰＵ２の構成を説明するための図である。なお、図２（ａ）は、第１の光ピックアップＯＰＵ１の概略平面図であり、図２（ｂ）は、第２の光ピックアップＯＰＵ２の概略平面図である。
【００３４】
第１の光ピックアップＯＰＵ１は、２つの対物レンズ３３１、３３２が所謂ラジアル方向（Ｒａｄ方向）に配置される構成となっている。ここで、ラジアル方向（Ｒａｄ方向）とは光ディスク４０の半径方向（ガイドシャフト３４ａ、３４ｂに平行な方向でもある）のことを指し、図１において左右方向が該当する。なお、上述のように、対物レンズ３３１はＢＤ用の光学系に含まれるＢＤ用の対物レンズであり、対物レンズ３３２はＤＶＤ及びＣＤ用の光学系に含まれるＤＶＤ及びＣＤ用の対物レンズである。
【００３５】
一方、第２の光ピックアップＯＰＵ２は、２つの対物レンズ３３１、３３２が所謂タンジェンシャル方向（Ｔａｎ方向）に配置される構成となっている。ここで、タンジェンシャル方向（Ｔａｎ方向）とは光ディスク４０に形成されるトラックに対する接線方向のことを指し、図１において紙面に垂直な方向が該当する。
【００３６】
第１の対物レンズＯＰＵ１と第２の対物レンズＯＰＵ２との間の違いは、上述した対物レンズ３３１、３３２の配列方向における違いの他に、サイズの違いもある。すなわち、第１の対物レンズＯＰＵ１に比べて第２の対物レンズＯＰＵ２の方が、Ｒａｄ方向の長さがｄだけ長くなっている。
【００３７】
図３は、本実施形態の光ディスク装置１に載せ換え可能な２種類の光ピックアップＯＰＵ１、ＯＰＵ２における必要移動量について説明するための模式図である。光ディスク装置１においては、第１の光ピックアップＯＰＵ１と第２の光ピックアップＯＰＵ２とのうちのいずれがトラバースシャーシ３０に搭載される場合も、光ピックアップ３３の最内周位置（内周及び外周は光ディスク４０を基準とした表現である。以下同様。；図１参照）は同じ位置とされる。
【００３８】
なお、２種類の光ピックアップＯＰＵ１、ＯＰＵ２のうちのいずれが使用される場合においても対物レンズ３３１、３３２が予め規格として定められる内周側レンズ位置許容範囲内に収まるように、光ピックアップ３３の最内周位置は決められている。
【００３９】
図３は光ピックアップ３３（対物レンズ３３１、３３２）が最内周位置のある場合の状態を示している。また、図３においては、光ピックアップ３３として、第１の光ピックアップＯＰＵ１が使用される場合と、第２の光ピックアップＯＰＵ２が使用される場合とが分けて示されている。また、図３における最外周位置は、光ピックアップ３３によって光ディスク４０の最も外周側に記録される情報を読み取る等のために必要となる光ピックアップ３３（対物レンズ３３１、３３２）の位置を指している。
【００４０】
２つの対物レンズ３３１、３３２のいずれが使用される場合にも、それらが最外周位置に至るように光ピックアップ３３の移動量は確保される必要がある。図３に示すように、第１の光ピックアップＯＰＵ１と第２の光ピックアップＯＰＵ２とは対物レンズ３３１、３３２の位置関係が異なるために、情報の読み取りや書き込みを行うために必要とされる光ピックアップ３３の移動量（必要移動量）は異なったものになる。詳細には、第１の光ピックアップＯＰＵ１の方が第２の光ピックアップＯＰＵ２に比べて必要移動量が大きくなる。
【００４１】
図４は、本実施形態の光ディスク装置１に載せ換え可能な２種類の光ピックアップＯＰＵ１、ＯＰＵ２における移動限界位置について説明するための模式図である。本実施形態においては、移動限界位置は外周側（光ディスク４０を基準とした表現。図１参照）の限界位置を指す。光ピックアップ３３の移動量として上述の必要移動量が確保されれば、情報の読み取りや書き込みは支障なく、行うことが可能である。しかし、実際には、光ピックアップ３３が移動可能な量は、通常、上述の必要移動量よりもう少し大きな量とされる。
【００４２】
ただし、この量があまりに大きく設定されると、光ピックアップ３３に取り付けられるＦＦＣ３９の処理について支障（トラバースシャーシ３３との干渉）が生じる。このために、光ピックアップ３３の最内周位置（基準位置）から移動できる移動限界位置について、光ピックアップ３３の移動量が上述の必要移動量よりも大きくなるとともに、ＦＦＣ３９の処理について支障が生じないように設定することが望まれる。
【００４３】
ところで、上述のように、第１の光ピックアップＯＰＵ１と第２の光ピックアップＯＰＵ２とでは、そのサイズが異なっている。このために、上述したＦＦＣ３９の処理を考慮すると、両者の間で移動限界位置は同じとできない。詳細には、図４に示すように、サイズの大きい第２の光ピックアップＯＰＵ１の移動限界位置は、第１の光ピックアップＯＰＵ１が基準位置から必要移動量移動した位置よりも手前側に設ける必要がある。
【００４４】
一方、第１の光ピックアップＯＰＵ１の移動限界位置を第２の光ピックアップＯＰＵ２の移動限界位置と同じとすると、第１の光ピックアップＯＰＵ１について必要移動量を確保できないことになる。すなわち、本実施形態の光ディスク装置１では、移動限界位置を決めるストッパ部を単純に１つ設けただけでは、２種類の光ピックアップＯＰＵ１、ＯＰＵ２に適切に対応できないことになる。このために、光ディスク装置１では、第１の光ピックアップＯＰＵ１が取り付けられる場合と、第２の光ピックアップＯＰＵ２が取り付けられる場合とのいずれの場合にも、適切な移動限界位置が設定されるように、トラバースシャーシ３０の構成に工夫が凝らされている。
【００４５】
図５は、本実施形態の光ディスク装置１が備えるトラバースシャーシ３０の構成を示す概略斜視図である。図６は、本実施形態の光ディスク装置１が備えるトラバースシャーシ３０と光ピックアップ３３との関係を示す概略斜視図である。なお、図６は、トラバースシャーシ３０に第１の光ピックアップＯＰＵ１が搭載された場合を示している。また、図６においては、光ピックアップ３３は最内周位置に配置されている。また、図６においては、トラバースシャーシ３０に本来は搭載される、ターンテーブル付きのスピンドルモータ３１（本発明の第２のモータの一例）、光ピックアップ３３駆動用のステッピングモータ３５（本発明の第１のモータの一例）、ステッピングモータ３５の出力軸に取り付けられるリードスクリュ３６等は省略されている。
【００４６】
図５及び図６に示すように、トラバースシャーシ３０には、第１の光ピックアップＯＰＵ１における外周側の移動限界位置を決める第１のストッパ部３０１と、第２の光ピックアップＯＰＵ２における外周側の移動限界位置を決める第２のストッパ部３０２と、が設けられている。いずれもガイドシャフト３４ａの外周端寄りとなる箇所（本発明の一端寄りとなる箇所の一例）に設けられる第１のストッパ部３０１及び第２のストッパ部３０２は、いずれも板金によって構成されるトラバースシャーシ３０の一部を加工して得られ、トラバースシャーシ３０に一体的に設けられている。
【００４７】
第１のストッパ部３０１は、ガイドシャフト３４ａと略平行な方向に延びる上面視略矩形状の第１の突起部３０１ａと、この第１の突起部３０１ａを下側に折り曲げて得られる板状の第１の折曲部３０１ｂとから構成される。一方、第２のストッパ部３０２は、第１のストッパ部３０１を構成する第１の突起部３０１ａの付け根近傍から水平方向に突出する略Ｌ字状の板状部を上側に向けて曲げることによって得られる第２の突起部３０２ａと、この第２の突起部３０２ａの先端を折り曲げて得られる第２の折曲部３０２ｂとから構成される。
【００４８】
また、図５及び図６に示すように、トラバースシャーシ３０には、ガイドシャフト３４ａを支持する支持部として機能するとともに、光ピックアップ３３の最内周位置を規制する（決める）第３のストッパ部３０３も設けられる。この第３のストッパ部３０３もトラバースシャーシ３０を構成する板金を折り曲げ形成して得られる。
【００４９】
光ディスク装置１においては、第１の光ピックアップＯＰＵをトラバースシャーシ３０に搭載する場合と、第２の光ピックアップＯＰＵ２をトラバースシャーシ３０に搭載する場合とで、同一のティース３７が用いられるようになっている。そして、このティース３７が第３のストッパ部３０３に当接することによって、光ピックアップ３３は上述した最内周位置に位置決め配置される。
【００５０】
なお、ティース３７は、ステッピングモータ３５によるリードスクリュ３６の回転を、リードスクリュ３６の長手方向（Ｒａｄ方向）に平行な直線運動に変換して光ピックアップ３３に伝達するものであり、本発明の係合部の一例である。また、光ディスク装置１が備えるティース３７は、従来の光ディスク装置１００におけるティース３７と同様の機能を有するものであるが、その形状は異なるものとなっている。
【００５１】
図７は、本実施形態の光ディスク装置１において、光ピックアップ３３が外周側の移動限界位置に到達した状態を示す拡大図である。図７（ａ）は、光ピックアップ３３として第１の光ピックアップＯＰＵ１が使用される場合の状態を示し、図７（ｂ）は、光ピックアップ３３として第２の光ピックアップＯＰＵ２が使用される場合の状態を示す。
【００５２】
図７（ａ）に示すように、光ピックアップ３３として第１の光ピックアップＯＰＵ１が使用される場合、光ピックアップ３３は、ティース３７が第１のストッパ部３０１の第１の折曲部３０１ｂに当接することによって、外周側への移動が規制される。ティース３７が第１のストッパ部３０１に当接した状態において、第２のストッパ部３０２と光ピックアップ３３との間には隙間Ｓ１が存在する。
【００５３】
図７（ｂ）に示すように、光ピックアップ３３として第２の光ピックアップＯＰＵ２が使用される場合、光ピックアップ３３は、それ自体の一部が第２のストッパ部３０２の第２の折曲部３０２ｂに当接することによって、外周側への移動が規制される。光ピックアップ３３の一部が第２のストッパ部３０２に当接した状態において、第１のストッパ部３０１とティース３７との間には隙間Ｓ２が存在する。
【００５４】
光ディスク装置１においては、第１の光ピックアップＯＰＵ１と第２の光ピックアップＯＰＵ２とのうち、いずれが使用される場合においても、ティース３７と第３のストッパ部３０３とによって最内周位置が位置決めされる。このために、光ディスク装置１においては、第１のストッパ部３０１によって外周側の移動限界位置が決められる第１の光ピックアップＯＰＵ１に比べて、第２のストッパ部３０２によって外周側の移動限界位置が決められる第２の光ピックアップＯＰＵ２の方が、最内周位置からの移動量が小さくなる。
【００５５】
そして、このように構成することによって、光ディスク装置１では、光ピックアップ３３として第１の光ピックアップＯＰＵ１と第２の光ピックアップＯＰＵ２とのうちのいずれが使用される場合においても、必要移動量が確保しつつ、光ピックアップ３３から外周方向に延び出すＦＦＣ３９の処理について支障（トラバースシャーシ３３との干渉）が生じない構成の採用が可能になっている。
【００５６】
以上のように、本実施形態の光ディスク装置１では、装置を構成する部品についてできるだけ共通化を図りつつ、性能上の問題を発生することなく、２つの光ピックアップＯＰＵ１、ＯＰＵ２の載せ換えが可能になっている。このために、本実施形態の光ディスク装置１１は、低コスト化に有利な構成であるといえる。
【００５７】
以上に示した実施形態は本発明が適用される光ディスク装置の例示であって、本発明が適用される光ディスク装置の構成は以上に示した実施形態の構成に限定されないのは言うまでもない。
【００５８】
例えば、以上に示した実施形態においては、ストッパ部３０１〜３０３が、トラバースシャーシ３０に一体的に形成される構成とした。しかし、本発明の範囲は、この構成に限定されるものではない。すなわち、例えば、ストッパ部３０１〜３０３はトラバースシャーシ３０とは別部材として、トラバースシャーシ３０に固着されるものであっても良い。また、別の構成として、例えば３つのストッパ部の少なくとも１つが、トラバースシャーシ３０ではなく、ガイドシャフト３４ａ、３４ｂに設けられる構成であってもよい。
【００５９】
また、以上に示した実施形態においては、光ピックアップ３３の最内周位置は１つのストッパ部３０３（第３のストッパ部３０３）によって決められる構成とした。しかし、本発明の適用範囲はこの構成に限定されるものではなく、場合によっては、内周側の移動限界位置を決定するために、外周側同様に内周側にも、２つのストッパ部が設けられる構成としても構わない。また、場合によっては、内周側にのみ、光ピックアップの種類毎に使い分けられる２つのストッパ部が設けられる構成を採用するようにしても構わず、このような構成も本発明の範囲に含まれる。
【００６０】
また、以上に示した実施形態においては、光ピックアップ３３の最内周位置は、ティース３７と第３のストッパ部３０３とによって決められる構成とした。しかし、本発明の適用範囲はこの構成に限らず、光ピックアップ（ティースではない）と１つのストッパ部とによって、光ピックアップの最内周位置が決められる構成も本発明の範囲に含まれる。
【００６１】
また、以上に示した実施形態においては、光ピックアップ３３が２つの対物レンズ３３１、３３２を備える構成とした。しかし、本発明の適用範囲はこの構成に限定されるものではない。すなわち、光ピックアップが備える対物レンズの数によらず、本発明は適用可能である。
【００６２】
また、以上に示した実施形態においては、載せ換え可能な光ピックアップの数が２種類である構成を示した。しかし、この構成に限らず、場合によっては、載せ換え可能な光ピックアップの数が２種類より多い場合にも、本発明は適用可能である。
【００６３】
その他、本発明は、光ディスク装置が情報の再生や記録を行える光ディスクの種類が、本実施形態に示すもの以外であっても適用可能なのは勿論である。
【産業上の利用可能性】
【００６４】
本発明は、複数の光ピックアップを載せ換え可能に設けられる光ディスク装置に好適である。
【符号の説明】
【００６５】
１  光ディスク装置
３０  トラバースシャーシ（シャーシ）
３１  スピンドルモータ（第２のモータ）
３３  光ピックアップ
３４ａ、３４ｂ  ガイドシャフト
３５  ステッピングモータ（第１のモータ）
３６  リードスクリュ
３７  ティース（係合部）
３０１  第１のストッパ部
３０２  第２のストッパ部
３０３  第３のストッパ部
ＯＰＵ１  第１の光ピックアップ
ＯＰＵ２  第２の光ピックアップ
【図１】
0005637060.tif 000002
【図２】
0005637060.tif 000003
【図３】
0005637060.tif 000004
【図４】
0005637060.tif 000005
【図５】
0005637060.tif 000006
【図６】
0005637060.tif 000007
【図７】
0005637060.tif 000008
【図８】
0005637060.tif 000009
【図９】
0005637060.tif 000010
【図１０】
0005637060.tif 000011
【図１１】
0005637060.tif 000012